(57)【特許請求の範囲】
【請求項１】
遊技盤の裏側に取付部材を介して取り付けられて、遊技者に映像を表示する映像表示装置を備えた遊技機において、
前記取付部材は、前記遊技盤の裏側に配設される固定部材と、
前記固定部材に着脱可能に取り付けられると共に、前記映像表示装置が取り付けられる装置取付部材とを備え、
前記固定部材は、係合部と、
裏側方向へ立設される位置決め軸を有し、
前記装置取付部材は、映像表示装置が取り付けられる本体部と、
前記本体部の側面の前記係合部に対向する位置から外側方向へ延出され、前面部が前記固定部材の裏面に摺動されて前記係合部に係合される係合片と、
前記本体部の側面の前記位置決め軸に対向する位置から外側方向へ延出される耳部を有し、
前記耳部は長孔を有し、該長孔は、前記係合片の摺動方向に長く、該係合片の先端側では該耳部の周縁まで延びて前記本体部の前記側面に達するように設けられると共に、幅寸法は該係合片の先端方向に大きくなるよう形成され、
前記装置取付部材は、前記耳部の長孔が前記位置決め軸に嵌入されると共に、前記係合片の摺動と同時に、該耳部の前面部が前記固定部材の裏面に摺動されて該係合片が前記係合部に係合されることによって取付位置に位置決めされることを特徴とする遊技機。
【請求項２】
前記耳部において前記前面部の周縁には、前記本体部の前記側面に繋がる領域を除く全ての部分に表側方向へ壁が立設され、該前面部において前記長孔は、該壁と前記本体部の前記側面とで構成された環状をなす壁の内側に位置することを特徴とする請求項１に記載の遊技機。
【発明の詳細な説明】
【０００１】
【発明の属する技術分野】
本発明は、取付部材を介して映像表示装置が取り付けられる遊技機に関し、特に、前記取付部材は、開口部の周辺部に配設される固定部材と、該固定部材に着脱可能に取り付けられると共に、映像表示装置が取り付けられる装置取付部材とから構成され、前記装置取付部材の側面部から外側方向に延出される係合片の前面部を固定部材の裏面に摺動させつつ、前記固定部材に設けられる係合部に係合することによって、該装置取付部材の位置決めが行われて、ビス止め等によって固設されるため、前記係合片及び係合部の裏側に種々の装置を配置しても映像表示装置の交換作業を容易に且つ迅速に行うことができる遊技機に関するものである。
【０００２】
【従来の技術】
近年のパチンコ機等の遊技機においては、回路基板の一つであって、遊技機のゲーム内容が書き込まれたＲＯＭを実装したメイン基板が、基板ケースに収納されて遊技機の裏側に取り付けられている。このようなパチンコ機の全体構成について図７に基づいて説明する。図７は従来のパチンコ機の全体構成の一例を示す背面図である。
【０００３】
このパチンコ機１０１は、所定量のパチンコ球を賞球として払い出すものであり、木製の外枠１０２に対して木製の内枠１０３がヒンジ部材等を介して開閉自在に取り付けられている。また、この内枠１０３のほぼ中央部には遊技盤が着脱可能なように鉄板等の金属製の機構盤１０４が取り付けられている。そして、この機構盤１０４の片側には合成樹脂製の機構セット盤１０５が開閉自在に蝶番により取り付けられている。
【０００４】
パチンコ機１０１の裏側上段には、上方に開口した賞球タンク１０６が機構セット盤１０５に固定されている。賞球タンク１０６の直上には補給装置１０７が配設され、吐出部１０７Ａが垂直に降りている。賞球タンク１０６は、傾斜した底面に連通孔（不図示）が形成され、その連通孔の下方にはパチンコ球を２列に整列流出し得る傾斜したタンクレール１０８が取付けられている。
【０００５】
また、賞球ケース１１２へパチンコ球を案内する賞球案内部１０９内には、タンクレール１０８の下流側のパチンコ球を送り出す２列の賞球通路１１０が形成されている。
【０００６】
また、賞球ケース１１２には、各賞球通路１１０を通過するパチンコ球の数を確認する確認スイッチ、パチンコ球の送り出しを調節する払い出しソレノイド等（いずれも不図示）が内装されている。そして、これら賞球案内部１０９、賞球ケース１１２、確認スイッチ、及び払い出しソレノイド等により賞球払い出し手段が構成されている。
【０００７】
そして、賞球ケース１１２の下流側には排出部が形成され、排出路１１３及び下部受け皿満タンスイッチが内装された排出路１１４が下端部下方に開口して形成されている。また、この開口部の下方には、上皿から溢れた賞球を受けて下皿に案内する下皿受け部を構成する下部受皿ボックス１１５がボルトにより内枠１０３の裏側に取り付けられている。
【０００８】
また、機構セット盤１０５上には、主基板１１６が装着された基板ボックス１１６Ａが、遊技盤裏面を覆うセンタカバー１１７に装着された状態で固定されている。また、このセンタカバー１１７の裏側のほぼ中央部には蓋部材１１７Ａが着脱可能に取り付けられ、この蓋部材１１７Ａを取り外すことによってセンターカバー１１７内を点検できる構成になっている。また、この主基板１１６には、パチンコ機１０１の遊技動作やゲーム音楽の再生等を制御する制御回路が構成されている。そして、その制御回路には、制御動作を所定の手順で実行することができるＣＰＵ、その動作プログラムデータを格納するＲＯＭ、データの書き込み及び読み出しを行うＲＡＭ、又は入出力回路やクロック発生器等を含むマイクロコンピュータが装着されている。
【０００９】
また、基板ボックス１１６Ａの下側には、コントロール基板が装着されたコントロールボックス１１８が取り付けられている。このコントロール基板は、賞球払出手段等の駆動制御を行うための制御回路を構成している。さらに、機構セット盤１０５の上方角部（図７中、右上角部）には、中継基板１２０が設けられている。この中継基板１２０は、パチンコ機１０１とホールコンピュータをつなぐ基板である。
【００１０】
【発明が解決しようとする課題】
近年、パチンコゲームの表示手段を構成するＬＣＤ等が高精細度化、大型化等すると共に、リーチアクションや大当り等の表示画像内容やゲーム音楽が高度化、複雑化して、これらの表示制御や音楽再生制御の制御回路が形成される主基板１１６が大型化している。
【００１１】
しかしながら、上述した従来のパチンコ機１０１では、裏側方向の厚さ寸法は所定寸法以下になるように規制されているため、大型化した主基板１１６が装着される主基板ボックス１１６Ａは、ＬＣＤ等の裏側を覆うように配置されている。このため、このＬＣＤ等が故障した場合には、主基板ボックス１１６Ａ及びセンターカバー１１７を取り除いて、ＬＣＤ等を遊技盤の裏側に固定している４箇所以上のネジを取り外して交換する必要があるため、交換作業が煩雑になり、作業時間が長くなるという問題がある。
【００１２】
そこで、本発明は、上述した問題点を解決するためになされたものであり、ＬＣＤ等の映像表示装置を遊技盤の裏側に取り付ける取付部材は、開口部の周辺部に配設される固定部材と、映像表示装置が取り付けられて該固定部材に着脱可能に取り付けられる装置取付部材とから構成される。そして、前記装置取付部材の側面部から外側方向に延出される係合片の前面部を固定部材の裏面に摺動させつつ、前記固定部材に設けられる係合部に係合することによって、該装置取付部材の位置決めが行われて、ビス止め等によって固設されるため、前記係合片及び係合部の裏側に種々の装置を配置しても映像表示装置の交換作業を容易に且つ迅速に行うことができる遊技機を提供することを目的とする。
【００１３】
【課題を解決するための手段】
前記目的を達成するために、請求項１に係る遊技機は、遊技盤の裏側に取付部材を介して取り付けられて、遊技者に映像を表示する映像表示装置を備えた遊技機において、前記取付部材は、前記遊技盤の裏側に配設される固定部材と、前記固定部材に着脱可能に取り付けられると共に、前記映像表示装置が取り付けられる装置取付部材とを備え、前記固定部材は、係合部と、裏側方向へ立設される位置決め軸を有し、前記装置取付部材は、映像表示装置が取り付けられる本体部と、前記本体部の側面の前記係合部に対向する位置から外側方向へ延出され、前面部が前記固定部材の裏面に摺動されて前記係合部に係合される係合片と、前記本体部の側面の前記位置決め軸に対向する位置から外側方向へ延出される耳部を有し、前記耳部は長孔を有し、該長孔は、前記係合片の摺動方向に長く、該係合片の先端側では該耳部の周縁まで延びて前記本体部の前記側面に達するように設けられると共に、幅寸法は該係合片の先端方向に大きくなるよう形成され、前記装置取付部材は、前記耳部の長孔が前記位置決め軸に嵌入されると共に、前記係合片の摺動と同時に、該耳部の前面部が前記固定部材の裏面に摺動されて該係合片が前記係合部に係合されることによって取付位置に位置決めされることを特徴とする。
【００１４】
このような特徴を有する請求項１に係る遊技機においては、遊技者に映像を表示する映像表示装置が、遊技盤の裏側に取付部材を介して取り付けられている。この取付部材は、前記遊技盤の裏側に配設される固定部材と、前記固定部材に着脱可能に取り付けられると共に、前記映像表示装置が取り付けられる装置取付部材とから構成されている。また、この固定部材には、係合部と、裏側方向へ立設される位置決め軸が設けられている。また、この装置取付部材は、映像表示装置が取り付けられる本体部と、該本体部の側面の前記係合部に対向する位置から外側方向へ延出され、前面部が前記固定部材の裏面に摺動されて前記係合部に係合される係合片と、前記本体部の側面の前記位置決め軸に対向する位置から外側方向へ延出される耳部が設けられている。前記耳部は長孔を有し、該長孔は、前記係合片の摺動方向に長く、該係合片の先端側では該耳部の周縁まで延びて前記本体部の前記側面に達するように設けられると共に、幅寸法は該係合片の先端方向に大きくなるよう形成されている。そして、この装置取付部材は、前記耳部の長孔が前記位置決め軸に嵌入されると共に、前記係合片の摺動と同時に、該耳部の前面部が前記固定部材の裏面に摺動されて該係合片が前記係合部に係合されることによって取付位置に位置決めされる。
【００１５】
これにより、装置取付部材の側面部から外側方向に延出される係合片の前面部を固定部材の裏面に摺動させつつ、前記固定部材に設けられる係合部に係合することによって、該装置取付部材の位置決めが行われて、ビス止め等によって固設されるため、前記係合片及び係合部の裏側に主基板ボックス等の種々の装置を配置しても該装置取付部材の取り付け及び取り外しを容易に行うことができる。
また、装置取付部材は、耳部に形成される長孔と固定部材の位置決め軸との嵌合によって位置決めされつつ、前記係合片と耳部とが固定部材の裏面に摺動されて取付位置に位置決めされるため、該装置取付部材の交換作業を更に容易に且つ迅速に行うことができる。
また、前記長孔は、幅寸法が前記係合片の先端方向に大きくなるように形成されているため、装置取付部材の耳部に形成される長孔の前記係合片の先端方向側を固定部材の位置決め軸側に寄せて、この長孔に位置決め軸を容易に入れることができるため、装置取付部材を固定部材に取付ける作業を迅速に行うことができる。
【００１６】
また、請求項２に記載の遊技機は、請求項１に記載の遊技機において、前記耳部において前記前面部の周縁には、前記本体部の前記側面に繋がる領域を除く全ての部分に表側方向へ壁が立設され、該前面部において前記長孔は、該壁と前記本体部の前記側面とで構成された環状をなす壁の内側に位置することを特徴とする。
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【発明の実施の形態】
以下、本発明に係る遊技機についてパチンコ機につき具体化した一実施の形態を図面を参照して詳細に説明する。先ず、本実施形態に係るパチンコ機の全体構成について図１に基づいて説明する。図１は本実施形態に係るパチンコ機の全体を示した背面図である。
【００３２】
このパチンコ機１は、所定量のパチンコ球を賞球として払い出すものであり、木製の外枠２に対して木製の内枠３がヒンジ部材等を介して開閉自在に取り付けられている。また、この内枠３のほぼ中央部には遊技盤２６（図３参照）が着脱可能なように鉄板等の金属製の機構盤４が取り付けられている。そして、この機構盤４の片側には合成樹脂製の機構セット盤５が開閉自在に蝶番により取り付けられている。外枠２及び内枠３は、現在では樹脂製のものが主流となっているが、本実施の形態では木製のものとしている。
【００３３】
パチンコ機１の裏側上部には、上方に開口した賞球タンク６が機構セット盤５に固定されている。賞球タンク６の直上には補給装置７が配設され、吐出部７Ａが垂直に降りている。賞球タンク６は、傾斜した底面に連通孔（不図示）が形成され、その連通孔の下方にはパチンコ球を２列に整列流出し得る傾斜したタンクレール８が取付けられている。
【００３４】
また、賞球ケース１２へパチンコ球を案内する賞球案内部９内には、タンクレール８の下流側のパチンコ球を案内する２列の賞球通路１０が形成されている。また、賞球ケース１２には、各賞球通路１０を通過するパチンコ球の数を確認する確認スイッチ、パチンコ球の送り出しを調節する払い出しソレノイド等（いずれも不図示）が内装されている。これら賞球タンク６、タンクレール８、賞球案内部９、賞球ケース１２、確認スイッチ、及び払い出しソレノイド等により賞球払出システムが構成されている。
【００３５】
そして、賞球ケース１２の下流側には排出部が形成され、排出路１３及び下部受け皿満タンスイッチが内装された排出路１４が下端部下方に開口して形成されている。また、この開口部の下方には、上皿から溢れた賞球を受けて下皿に案内する下皿受け部を構成する下部受皿ボックス１５がボルトにより内枠３の裏側に取り付けられている。
【００３６】
また、機構セット盤５上には、基板ボックス１６Ａ内に配置される主基板１６が、遊技盤２６裏面を覆う透明なＡＢＳ等の樹脂製のセンターカバー１７に装着された状態で固定されている。この主基板１６には、パチンコ機１の遊技動作などを制御する制御回路が構成されている。そして、その制御回路は、制御動作を所定の手順で実行することができるＣＰＵ、その動作プログラムデータを格納するＲＯＭ、データの書き込み及び読み出しを行うＲＡＭ、又は入出力回路やクロック発生器などを含むマイクロコンピュータが装着されている。
【００３７】
また、センターカバー１７の背面部のほぼ中央には、点検用開口部１７Ａ（図２参照）が形成され、透明なＡＢＳ等の樹脂製の蓋部材１９が、この点検用開口部１７Ａを閉塞するように着脱可能に取り付けられている。そして、後述のように該点検用開口部１７Ａを介して、ＬＣＤ等で構成されて左、中、右に３分割された特別図柄を表示する映像表示装置２５が内側に取り付けられる装置取付部材３１が、遊技盤２６の裏面に固設されている固定部材３２に装着される（図６参照）。
【００３８】
また、主基板１６の下側には、コントロール基板が装着されたコントロールボックス１８が取り付けられている。このコントロール基板は、賞球払出等の制御を行うための制御回路を構成している。
【００３９】
また、機構セット盤５の上方角部（図１中、右上角部）には、中継基板２０が設けられている。この中継基板２０は、パチンコ機１とホールコンピュータをつなぐ基板である。
【００４０】
次に、蓋部材１９のセンターカバー１７への取付について図２に基づいて説明する。図２は本実施形態に係るパチンコ機１の蓋部材１９のセンターカバー１７への取り付け状態を示す要部の側断面図である。
【００４１】
図２に示すように、センターカバー１７は、前面部（図２中、左側面部）が開放された略箱状体で、その背面部のほぼ中央部の固定部材３２に対向する部分に点検用開口部１７Ａが形成されている。また、この点検用開口部１７Ａの上側端縁部のほぼ中央位置には、センターカバー１７の裏側方向に突き出す弾性係止片２２が設けられている。そして、この弾性係止片２２の後端にはセンターカバー１７の下側方向に突出する係止突起２２Ａが形成されている。
【００４２】
また、点検用開口部１７Ａの下側部分はセンターカバー１７の後側方向に所定深さ膨出している。また、点検用開口部１７Ａの下側端縁部は下側に所定長さ延出されるフランジ部が形成され、そのフランジ部のほぼ中央位置に切欠部２３が形成されている。更に、点検用開口部１７Ａの周縁部には、蓋部材１９の側面部の厚さ寸法にほぼ等しい高さまで内側方向に延出されたリブ２４が周設されている。
【００４３】
尚、点検用開口部１７Ａの上下方向（図２中、上下方向）の幅寸法は、後述の装置取付部材３１の上下方向（図３中、上下方向）の幅寸法よりも大きく形成されると共に、該点検用開口部１７Ａの左右方向（図１中、左右方向）の幅寸法は、後述の装置取付部材３１の左右方向（図２中、左右方向）の幅寸法よりも小さく形成されている（図６参照）。
【００４４】
また、蓋部材１９は、前面部（図２中、左側面部）が開放された略箱状体で、前面部の大きさは点検用開口部１７Ａの大きさにほぼ等しく形成されている。また、蓋部材１９の側面部は、前端部から、上記リブ２４の後面から係止突起２２Ａまでの長さ寸法にほぼ等しい長さだけ外側方向に突出して形成されている。
【００４５】
また、この蓋部材１９の下側の側面の上記切欠部２３に対向する位置には、この切欠部２３の幅寸法にほぼ等しい幅で下側に垂直に延出された引掛り部１９Ａが形成されている。
【００４６】
そして、蓋部材１９のセンターカバー１７への取り付けは、先ず、センターカバー１７の後方から、蓋部材１９の上側側面の前端縁部を弾性係止片２２の内側に当接させつつ、蓋部材１９の下側側面部に形成される引掛り部１９Ａを、点検用開口部１７Ａの下側端縁部に形成される切欠部２３の前側方向に押し込み、嵌挿する。これにより、蓋部材１９の上側側面の前端縁部が点検用開口部１７Ａの周縁部に形成されるリブ２４に当接すると共に、上側側面の外側に突出している部分の後面部が係止突起２２Ａに弾性的に係合されて、この蓋部材１９はセンターカバー１７の点検用開口部１７Ａを後方側から覆うように取り付けられる。
【００４７】
尚、蓋部材１９を上方向に持ち上げて、引掛り部１９Ａをセンターカバー１７の切欠部２３から引き抜き、この蓋部材１９を斜め下方向に抜くことにより、センターカバー１７の係止突起２２Ａと蓋部材１９の上側側面との係合が解除されて、センターカバー１７から蓋部材１９を取り外すことができる。
【００４８】
次に、映像表示装置２５が内側に取り付けられる装置取付部材３１と、該装置取付部材３１が装着される固定部材３２について図３乃至図５に基づいて説明する。図３は本実施形態に係るパチンコ機１の遊技盤２６の裏面側に固定部材３２及び装置取付部材３１を取り付けた状態を示す背面図である。図４は本実施形態に係るパチンコ機１の固定部材３２を示す図で、（Ａ）は背面図、（Ｂ）は右側面図である。図５は本実施形態に係るパチンコ機１の装置取付部材３１を示す図で、（Ａ）は背面図、（Ｂ）は下側側面図である。
【００４９】
図３に示すように、ほぼ中央部に下側から上側に略コの字型にくぼむ固定部材３２は、前面が開放したＡＢＳ等の樹脂製の箱状体からなり、前面開放部が遊技盤２６の略中央部に開設される開口部２７の裏面側周辺部に各ビス３３、３３、３３、３３によってネジ止めにより取り付けられている。また、装置取付部材３１は、この固定部材３２の裏側に各ビス３４、３４によってビス止めにより取り付けられている。
【００５０】
また、図４に示すように、固定部材３２は、ほぼ中央部に下側から上側に略コの字型にくぼむ挿入凹部３５が設けられている。また、挿入凹部３５の左側には、右側方向に開口している各係止凹部３６、３６が裏側に突き出して設けられている。この各係止凹部３６の左側側面は、上下方向のほぼ一直線上に形成されると共に、上下外側側面は、所定角度で右側方向に広くなるように形成されている。また、各係止凹部３６、３６の裏側方向の内側高さ寸法は、装置取付部材３１の嵌合部５１（図５参照）の厚さ寸法にほぼ等しく形成されている。
【００５１】
また、挿入凹部３５の右側には、上下方向のほぼ中央位置に位置決め軸３７が裏側方向に垂設されている。また、この位置決め軸３７の上下の所定位置には、ネジ孔３８が形成される各取付ポスト３９、３９が裏側方向に突き出して設けられている。尚、各取付ポスト３９、３９と位置決め軸３７の高さ寸法差は、後述のように装置取付部材３１の耳部５２（図５、図６参照）の板厚寸法以上に形成されている。
【００５２】
また、固定部材３２の四角には外側方向へ略直角に延出される各延出部４１、４２、４３、４４が形成されている。両肩部の各延出部４１、４２には、各位置決め突起４６、４７が前側方向に所定高さ（本実施形態では、約３ｍｍ）突き出して形成され、遊技盤２６への取り付け時に、遊技盤２６の裏面に形成される位置決め孔（不図示）に嵌入される。また、各延出部４１、４２、４３、４４には、取り付けのビスが挿入される各貫通孔４８、４８、４８、４８が穿設されている。
【００５３】
また、図５に示すように、装置取付部材３１は、前面側が開放されて、前面側から映像表示装置２５が挿入されてビス止め等により取付けられる本体部３１Ａと（図６参照）、該本体部３１Ａの左側側面（図５中、左側側面）の開口側近傍部から左側方向に略直角に延出されて、先端側幅寸法が基端側幅寸法よりも狭くなるように形成される略台形板状の嵌合部５１と、該本体部３１Ａの右側側面（図５中、右側側面）の開口側近傍部から右側方向に略直角に延出される略板状の耳部５２とから構成されている。
【００５４】
また、本体部３１Ａの上下側面（図５（Ａ）中、上下方向の側面）には、映像表示装置２５による発熱を放熱するための多数の小さな空気孔が穿設されている。また、本体部３１Ａの背面部の角部（図５（Ａ）中、右上角部）には、映像表示装置２５の配線ケーブルが引き出される配線孔５３が形成されている。
【００５５】
また、耳部５２は、前面側に開放された断面略コの字型に形成され、嵌合部５１の高さ寸法（図５（Ｂ）中、上下方向の寸法）にほぼ等しい高寸法に形成されている。そして、該耳部５２の裏面側のほぼ中央部には、左右に長く、且つ基端部側の幅寸法が先端側幅寸法よりも広く形成される長孔５２Ａが設けられている。また、長孔５２Ａの上下には、ビスが挿入される各貫通孔５４、５４が形成され、該貫通孔５４、５４を介して固定部材３２の各取付ポスト３９、３９にビス止めされる（図３参照）。そして、取り付け時には、装置取付部材３１の嵌合部５１を固定部材３２の係合凹部３６、３６に挿入した場合に、この長孔５２Ａには、後述のように固定部材３２の位置決め軸３７が前側方向から挿入されると共に、長孔５２Ａの先端側の側面が位置決め軸３７にほぼ接するように構成されている。
【００５６】
ここで、各係止凹部３６、３６は係合部として機能する。また、嵌合部５１は係合片として機能する。
【００５７】
次に、遊技盤２６の裏面側に固設される固定部材３２にビス止めされた装置取付部材３１の取り外し及び再取り付けについて図６に基づいて説明する。図６は本実施形態に係るパチンコ機１の遊技盤２６の裏面側に固設される固定部材３２にビス止めされた装置取付部材３１の取り外し及び再取り付けを示す要部断面図である。
【００５８】
図６に示すように、固定部材３２にビス止めされた装置取付部材３１の取り外しは、先ず、蓋部材１９を矢印６０の上方向に取り外し、点検用開口部１７Ａを開放する。そして、該点検用開口部１７Ａから装置取付部材３１を固定している各ビス３４、３４（図３参照）を取り外す。続いて、装置取付部材３１を右側方向（図６中、右側方向）に固定部材３２上を摺動させて、位置決め軸３７を耳部５２の基端部に当接させた後、該装置取付部材３１を上側方向に持ち上げて、耳部５２の長孔５２Ａから位置決め軸３７を抜いて、嵌合部５１の先端側を斜め左上側方向に点検用開口部１７Ａを介して取り外す（矢印６１の上側方向参照）。
【００５９】
また、装置取付部材３１の映像表示装置２５を点検修理又は交換後、該装置取付部材３１を固定部材３２に、再度取付ける場合には、装置取付部材３１の耳部５２側から斜め右下方向に点検用開口部１７Ａを介して挿入して、該耳部５２の長孔５２Ａを固定部材３２の位置決め軸３７に嵌め込む。そして、該耳部５２の前面部と嵌合部５１の先端部の前面部とを固定部材３２の裏面に当接させて、左側方向に摺動させ、該嵌合部５１を固定部材３２の各係止凹部３６、３６の奥側の側面に当接させて位置決めする（矢印６１の下側方向参照）。続いて、点検用開口部１７Ａを介して各ビス３４、３４によって、装置取付部材３１を固定部材３２にビス止め後、蓋部材１９を矢印６０下方向に取り付け、点検用開口部１７Ａを閉塞する。
【００６０】
以上詳細に説明した通り本実施形態に係るパチンコ機１では、遊技盤２６の開口部２７の周辺部に固定部材３２が固設されている。この固定部材３２の裏面部には、各係止凹部３６、３６と位置決め軸３７とが設けられている。また、ＬＣＤ等の映像表示装置２５が取付けられる装置取付部材３１は、左側面部に延出される略台形板状の嵌合部５１と右側面部に延出されて長孔５２Ａが形成される略板状の耳部５２が設けられている。そして、センターカバー１７の点検用開口部１７Ａを介して装置取付部材３１をセンターカバー１７内に挿入して、長孔５２Ａを固定部材３２の位置決め軸３７に填め込み、該装置取付部材３１の前面部を固定部材３２の裏面に当接させつつ左右方向に摺動させて、嵌合部５１を各係止凹部３６、３６に挿入して位置決め後、ビス止めによる取り付け及び取り外しを行う。
【００６１】
したがって、装置取付部材３１の右側面部に設けられる略板状の耳部５２に形成される長孔５２Ａを固定部材３２の位置決め軸３７に嵌入させて、該装置取付部材３１を固定部材３２の裏面に押し当てつつ左方向に移動させ、該装置取付部材３１の左側面部に設けられる略台形板状の嵌合部５１を前記固定部材３２に設けられる各係止凹部３６、３６に嵌入することによって、該装置取付部材３１の位置決め後、該装置取付部材３１は耳部５２を介して固定部材３２にビス止めが行われるため、装置取付部材３１の嵌合部５１の裏側に基板ボックス１６Ａ等の種々の装置を配置しても該装置取付部材３１の取り付け及び取り外しを容易に行うことができる。
【００６２】
また、各係止凹部３４、３４の開口部分の幅寸法は、嵌合部５１の先端部分の幅寸法よりも大きくなるため、該嵌合部５１を各係止凹部３４、３４に容易に嵌入することができて、装置取付部材３１の位置決め及び取付作業を容易に行うことができる。
【００６３】
また、装置取付部材３１の長孔５２Ａは、幅寸法が耳部５２の基端部方向に大きくなるように形成されているため、該装置取付部材３１の本体部３１Ａを固定部材３２の位置決め軸３７側に寄せて、該装置取付部材３１の耳部５２に形成される長孔５２Ａに位置決め軸３７を容易に入れることができ、装置取付部材３１を固定部材３２に取付ける作業を迅速に行うことができる。
【００６４】
更に、センターカバー１７の裏側の点検用開口部１７Ａの近傍位置まで種々の装置が配置されても、センターカバー１７の点検用開口部１７Ａを介して映像表示装置２５が取付けられる装置取付部材３１の取り付け及び取り外しを行うことができるため、映像表示装置２５が故障等した場合には、センターカバー１７や該センターカバー１７の裏側に配置される種々の装置を取り外すことなく、映像表示装置２５の修理交換を迅速に行うことができる。また、基板ボックス１６Ａは、固定部材３２の各係止凹部３６、３６の裏側部分まで幅寸法を延ばすことができるため、該基板ボックス１６Ａの大型化を図り、主基板１６の大型化が可能となる。
【００６５】
尚、本発明は前記実施形態に限定されるものではなく、本発明の要旨を逸脱しない範囲内で種々の改良、変形が可能であることは勿論である。
【００６６】
例えば、前記実施形態では各係止凹部３６、３６は独立して設けられているが、左側側面部を延長して結合してもよい。
【００６７】
【発明の効果】
以上説明した通り、請求項１に係る遊技機によれば、遊技者に映像を表示する映像表示装置が、遊技盤の裏側に取付部材を介して取り付けられている。この取付部材は、前記遊技盤の裏側に配設される固定部材と、前記固定部材に着脱可能に取り付けられると共に、前記映像表示装置が取り付けられる装置取付部材とから構成されている。また、この固定部材には、係合部と、裏側方向へ立設される位置決め軸が設けられている。また、この装置取付部材には、映像表示装置が取り付けられる本体部と、該本体部の側面の前記係合部に対向する位置から外側方向へ延出されて前面部が前記固定部材の裏面に摺動されて前記係合部に係合される係合片と、前記本体部の側面の前記位置決め軸に対向する位置から外側方向へ延出される耳部が設けられている。該耳部は長孔を有し、該長孔は、前記係合片の摺動方向に長く、該係合片の先端側では該耳部の周縁まで延びて前記本体部の前記側面に達するように設けられると共に、幅寸法は該係合片の先端方向に大きくなるよう形成されている。そして、この装置取付部材は、前記耳部の長孔が前記位置決め軸に嵌入されると共に、前記係合片の摺動と同時に、該耳部の前面部が前記固定部材の裏面に摺動されて該係合片が前記係合部に係合されることによって取付位置に位置決めされる。
これにより、装置取付部材の側面部から外側方向に延出される係合片の前面部を固定部材の裏面に摺動させつつ、前記固定部材に設けられる係合部に係合することによって、該装置取付部材の位置決めが行われて、ビス止め等によって固設されるため、前記係合片及び係合部の裏側に主基板ボックス等の種々の装置を配置しても該装置取付部材の取り付け及び取り外しを容易に行うことができる遊技機を提供することができる。  
また、装置取付部材は、耳部に形成される長孔と固定部材の位置決め軸との嵌合によって位置決めされつつ、前記係合片と耳部とが固定部材の裏面に摺動されて取付位置に位置決めされるため、該装置取付部材の交換作業を更に容易に且つ迅速に行うことができる遊技機を提供することができる。
また、前記長孔は、幅寸法が前記係合片の先端方向に大きくなるように形成されているため、装置取付部材の耳部に形成される長孔の前記係合片の先端方向側を固定部材の位置決め軸側に寄せて、この長孔に位置決め軸を容易に入れることができるため、装置取付部材を固定部材に取付ける作業を迅速に行うことができる。
【００６８】
【００６９】
また、請求項２に係る遊技機によれば、請求項１に記載の遊技機において、前記耳部において前記前面部の周縁には、前記本体部の前記側面に繋がる領域を除く全ての部分に表側方向へ壁が立設され、該前面部において前記長孔は、該壁と前記本体部の前記側面とで構成された環状をなす壁の内側に位置する。
【００７０】
【００７１】
【００７２】
【００７３】
【００７４】
【００７５】
【００７６】
【００７７】
【００７８】
【図面の簡単な説明】
【図１】  本実施形態に係るパチンコ機の全体を示した背面図である。
【図２】  本実施形態に係るパチンコ機の蓋部材のセンターカバーへの取り付け状態を示す要部の側断面図である。
【図３】  本実施形態に係るパチンコ機の遊技盤の裏面側に固定部材及び装置取付部材を取り付けた状態を示す背面図である。
【図４】  本実施形態に係るパチンコ機の固定部材を示す図で、（Ａ）は背面図、（Ｂ）は右側面図である。
【図５】  本実施形態に係るパチンコ機の装置取付部材を示す図で、（Ａ）は背面図、（Ｂ）は下側側面図である。
【図６】  本実施形態に係るパチンコ機の遊技盤の裏面側に固設される固定部材にビス止めされた装置取付部材の取り外し及び再取り付けを示す要部断面図である。
【図７】  従来のパチンコ機の全体構成の一例を示す背面図である。
【符号の説明】
１、１０１                パチンコ機
１６Ａ、１１６Ａ          基板ボックス
１７、１１７              センターカバー
１７Ａ                    点検用開口部
１９、１１７Ａ            蓋部材
２５                      映像表示装置
２６                      遊技盤
２７                      開口部
３１                      装置取付部材
３１Ａ                    本体部
３２                      固定部材
３６                      係止凹部
３７                      位置決め軸
３９                      取付ポスト
５１                      嵌合部
５２                      耳部
５２Ａ                    長孔
【図１】
0004474587.tif 000002
【図２】
0004474587.tif 000003
【図３】
0004474587.tif 000004
【図４】
0004474587.tif 000005
【図５】
0004474587.tif 000006
【図６】
0004474587.tif 000007
【図７】
0004474587.tif 000008